(57)【要約】【課題】外部入力についてもチャンネル飛ばし設定を可能にするチャンネル選択装置と方法、及びそのチャンネル選択装置を有する映像音声処理装置を提供する。【解決手段】地上波放送チャンネル（１ＣＨ〜１７ＣＨ）や、ＢＳチャンネルや、ライン入力１〜４について、チャンネル飛ばし設定を行なう。通常のチャンネルと同じように、ライン入力１と３をチャンネル飛ばし状態に設定せず、ライン入力２と４をチャンネル飛ばし状態に設定する。これにより、ライン入力を含む選局が便利になる。【選択図】図４
2004187121.tif 000002
【特許請求の範囲】
【請求項１】
テレビジョン放送信号を受信するチューナーが出力する少なくとも１つのチャンネルのテレビジョン放送信号と、少なくとも１つの外部入力端子に接続される少なくとも１つの外部機器が出力する映像音声信号とから、１つのチャンネルの信号を選択するチャンネル選択装置であって、
前記チューナーが出力する前記少なくとも１つのチャンネルのテレビジョン放送信号及び前記少なくとも１つの外部入力端子に接続される前記少なくとも１つの外部機器が出力する映像音声信号のうちの信号を選択出力しないチャンネル飛ばし設定を行なうチャンネル飛ばし設定手段と、
前記チャンネル飛ばし設定手段が行なったチャンネル飛ばし設定の内容を記憶する記憶手段と、
前記記憶手段に記憶された前記チャンネル飛ばし設定の内容に基づいて、前記チャンネル飛ばし設定手段によって前記チャンネル飛ばし状態に設定されたチャンネル信号以外の、前記チューナーが出力する少なくとも１つのチャンネルのテレビジョン放送信号及び前記少なくとも１つの外部入力端子に接続される前記少なくとも１つの外部機器が出力する映像音声信号の１つを選択するチャンネル選択手段と
を有する
チャンネル選択装置。
【請求項２】
前記チャンネル飛ばし設定手段及び前記チャンネル選択手段は、前記チャンネル飛ばし設定を行なう部分と、チャンネル選択を順番に行なう部分と、前記チャンネル飛ばし設定及び前記チャンネル選択を行なう制御信号を発信する発信部とを有するリモートコントローラを含む
請求項１に記載のチャンネル選択装置。
【請求項３】
テレビジョン放送信号を受信するチューナーが出力する少なくとも１つのチャンネルのテレビジョン放送信号と、少なくとも１つの外部入力端子に接続される少なくとも１つの外部機器が出力する映像音声信号とから、１つのチャンネルの信号を選択するチャンネル選択方法であって、
前記チューナーが出力する前記少なくとも１つのチャンネルのテレビジョン放送信号と前記少なくとも１つの外部入力端子に接続される前記少なくとも１つの外部機器が出力する映像音声信号のうちの信号を選択出力しないチャンネル飛ばし設定を行なうチャンネル飛ばし設定工程と、
前記チャンネル飛ばし設定工程において行なわれたチャンネル飛ばし設定の内容を記憶する記憶工程と、
前記記憶工程において記憶された前記チャンネル飛ばし設定の内容に基づいて、前記チャンネル飛ばし設定工程において前記チャンネル飛ばし設定が行なわれたチャンネル信号以外の、前記チューナーが出力する少なくとも１つのチャンネルのテレビジョン放送信号または前記少なくとも１つの外部入力端子に接続される前記少なくとも１つの外部機器が出力する映像音声信号の１つを選択するチャンネル選択工程と
を有する
チャンネル選択方法。
【請求項４】
少なくとも１つのチャンネルのテレビジョン放送信号を出力するチューナーと、
映像音声信号を出力する少なくとも１つの外部機器を接続する少なくとも１つの外部入力端子と、
前記チューナーが出力する前記少なくとも１つのチャンネルのテレビジョン放送信号と前記少なくとも１つの外部入力端子に接続される前記少なくとも１つの外部機器が出力する映像音声信号のうちの信号を選択出力しないチャンネル飛ばし設定を行なうチャンネル飛ばし設定手段と、
前記チャンネル飛ばし設定手段が行なったチャンネル飛ばし設定の内容をチャンネルごとに記憶する記憶手段と、
前記記憶手段に記憶された前記チャンネル飛ばし設定の内容に基づいて、前記チャンネル飛ばし設定手段によって前記チャンネル飛ばし設定が行なわれたチャンネル信号以外の、前記チューナーが出力する少なくとも１つのチャンネルのテレビジョン放送信号及び前記少なくとも１つの外部入力端子に接続される前記少なくとも１つの外部機器が出力する映像音声信号の１つを選択するチャンネル選択手段と
を有する
映像音声信号処理装置。
【請求項５】
前記チャンネル飛ばし設定手段及び前記チャンネル選択手段は、チャンネル飛ばし設定を行なう部分と、チャンネル選択を順番に行なう部分と、前記チャンネル飛ばし設定及び前記チャンネル選択を行なう制御信号を発信する発信部とを有するリモートコントローラを含む
請求項４に記載の映像音声信号処理装置。
【請求項６】
前記チャンネル選択手段で選択されたチャンネルの信号が出力表示される表示手段を有し、
前記チャンネル飛ばし設定手段は、前記チューナーが出力する前記少なくとも１つのチャンネル及び前記少なくとも１つの外部入力端子の情報を前記表示手段に表示し、前記表示手段の表示内容を参照して、前記チャンネル飛ばし設定を行なう
請求項４に記載の映像音声信号処理装置。
【請求項７】
前記チャンネル飛ばし設定が行なわれていないチャンネルの名称又は略称を設定し、前記記憶手段に記憶させるチャンネル名称設定手段をさらに有する
請求項６に記載の映像音声信号処理装置。
【発明の詳細な説明】
【０００１】
【発明の属する技術分野】
本発明は、テレビジョン放送信号や、ビデオ信号記録再生装置（以下、ＶＴＲと呼ぶ）やＤＶＤ（Ｄｉｇｉｔａｌ  Ｖｅｒｓａｔｉｌｅ  Ｄｉｓｋ）再生装置（以下、ＤＶＤプレイヤーと呼ぶ）など外部機器からの映像音声信号が入力されるテレビジョン受像機（以下、ＴＶ受像機と呼ぶ）などの映像音声処理装置、及びその映像音声処理装置におけるチャンネル選択装置と方法に関するものである。
【０００２】
【従来の技術】
テレビジョン受像機で受信する放送チャンネルの切換操作、いわゆる選局操作は、ＴＶ受像機本体、若しくは、リモートコントローラ（以下、リモコンと呼ぶ）の数字キーで直接的にチャンネルを選択する場合と、チャンネル番号を増加または減少するチャンネルアップまたはチャンネルダウンボタンでチャンネルを順次選択する場合とがある。
【０００３】
ＴＶ受像機は、地上波チューナーを内蔵し、地上波放送を受信するものと、アナログＢＳ（放送衛星）放送など地上波以外のチューナーを内蔵し若しくは外部から接続し受信するものが多く使用されている。
地上波によるテレビジョン放送とアナログＢＳ放送とを受信するようなテレビジョン受像機において、チャンネルアップまたはチャンネルダウンボタンによる選局操作は、ＢＳチューナーを外部入力に接続された場合に、ＢＳチューナーのリモコンにあらかじめＴＶ受像機の地上波放送の入力切換ボタンと、ＴＶ受像機の地上波放送チャンネルのアップダウンボタンを装備し、これらのボタンを操作することによって、ＴＶ受像機の地上波放送チャンネルとＢＳチューナーのチャンネルをＢＳチューナーのリモコンによって切り換えて視聴できるようになっている。また、ＢＳチューナーの本体からもＴＶ受像機のチャンネルとＢＳチューナーのチャンネルを切り換えることも可能である。
ＢＳチューナーを内蔵している場合は、ＴＶ受像機のリモコン又はＴＶ受像機の本体で地上波放送チャンネルとＢＳチャンネルの切り換えも可能である。
【０００４】
リモコンや本体のチャンネルアップ／チャンネルダウンボタンを押して選局を行なう場合、入力チャンネルは順番に変化する。
図９（ａ）は、チャンネルアップ／チャンネルダウンボタンで選局を行なう場合、入力チャンネルが変化する選局シーケンスの一例を示す。
図９（ａ）に示すように、選局を行なう時に、最も始めの入力チャンネルとしては、地上波アナログ放送のＶＨＦ帯域の周波数の下段（いわゆるＶＨＦ−Ｌｏｗ領域）の１ＣＨと呼ばれているチャンネルが選択されるとすると、チャンネルアップボタンを押すと、ＶＨＦ−Ｌｏｗ領域の２ＣＨ、３ＣＨが順次選択される。
チャンネルアップボタンをさらに押すと、チャンネルは順次ＶＨＦ帯域の周波数の上段（いわゆるＶＨＦ−Ｈｉｇｈ領域）の４ＣＨ、５ＣＨ、…と移動し、１２ＣＨで終了する。さらにチャンネルアップボタンが押されると、今度はＵＨＦ帯域の１３ＣＨに切り換わり、６２ＣＨまで移動する。
ＢＳチューナーを内蔵、または、外部接続している場合は、さらにチャンネルアップボタンを押すと、ＢＳ帯域の１ＣＨから１５ＣＨの奇数ＣＨを選局し、最初のＶＨＦ帯域１ＣＨに戻る。
チャンネルダウンボタンで選局する時は、チャンネルの変化は以上と逆となる。
【０００５】
通常、ＴＶ受像機には、外部チューナーや、ＶＴＲ、ディジタルカメラなど映像音声生成装置を接続する外部入力（又はライン入力）端子は設けられている。例えば、前述のように、ＢＳチューナーはライン入力端子に接続し、入力切換ボタンでＢＳチューナーを接続しているライン入力に切り換え、または、ＢＳチューナーのリモコンで地上波チューナーの放送チャンネルとＢＳチューナーの放送チャンネルを切り換えて、ＢＳチャンネルの映像音声信号を視聴することができる。
外部入力を持つＴＶ受像機では、内蔵された地上波チューナーやＢＳチューナーなどとライン入力との切り換えは、上記の切換ボタンで行なうことが多いが、上記のように、チャンネルアップ・ダウンボタンで切り換えることもできるようになっている。
【０００６】
図９（ｂ）は、ライン入力を含んだ選局を行なう場合の選局シーケンスの一例を示す。
図９（ｂ）において、例えば、２つの入力端子ライン入力１、ライン入力２を持つＴＶ受像機を例とする。該ＴＶ受像機では、ＢＳ帯域の１５ＣＨを選局した後に、チャンネルアップボタンをさらに押すと、順次ライン入力１、ライン入力２に切り換え、そして最初のＶＨＦ帯域１ＣＨに戻る。
【０００７】
１ＣＨから６２ＣＨの地上波放送、ＢＳ１ＣＨから１５ＣＨ（奇数）のＢＳ放送を視聴する場合は、チャンネル数が多いので、以上のようにチャンネルアップボタンとチャンネルダウンボタンで一々選局することが不便である。好みのチャンネルの数字を覚えて直接入力し選択することは、チャンネル数が多くなると困難になる。また、選局を行なっている間に、受信しない空きチャンネル、例えば、ＶＨＦ帯域の２ＣＨ、５ＣＨなどが一時的に選択される時に、画面上に砂嵐状のノイズが表示され、音声ノイズも出てくる。
これを避けるために、空きチャンネル、さらに、普段視聴しないチャンネルを、チャンネルアップ・ダウンボタンで選局する時に出現しないように、いわゆるチャンネル飛ばし設定をあらかじめ行ない、チャンネル飛ばし設定がされていない好みのチャンネルのみから選局する時のチャンネル順列を形成する方法が使われている。
【０００８】
図１０（ａ）は、例えば、ＴＶ受像機の表示部に、受信可能な信号のうち、飛ばしたいチャンネルを設定する、いわゆるチャンネル飛ばし設定を行なう設定画面の１画面分を表示している。
図１０（ａ）に示されたＴＶ受像機の表示部１００の設定画面には、ＵＨＦ帯域の１６ＣＨをチャンネル飛ばし状態に設定されている。
図１０（ｂ）は、チャンネル飛ばし設定を行なった選局シーケンスの一例を示す。図１０（ｂ）が示す選局シーケンスは、図９（ｂ）に示す選局シーケンスにおいて、図１０（ａ）に示されたように、ＵＨＦ帯域の１６ＣＨがチャンネル飛ばし状態に設定されている。
このように、ＵＨＦ帯域の１３ＣＨから６２ＣＨまでのチャンネルや、ＢＳチャンネルの中に、空きチャンネルや普段視聴しないチャンネルについて、事前にチャンネル飛ばし状態に設定をすることで、選局する時に、選択対象及びチャンネルアップ・ダウンボタンを押す回数を減らし、画面上の砂嵐状のノイズや、音声ノイズも起きない。
【０００９】
【特許文献１】
特開２００２−７７７４８号公報
【００１０】
【発明が解決しようとする課題】
ところで、近年、ＢＳディジタル放送やＣＳ（通信衛星）ディジタル放送等の新しい放送や、ＤＶＤプレイヤーなど新しいメディアが実用化されつつある。
例えば、特許文献１は、地上波放送、衛星ディジタルテレビジョン放送、及び衛星ディジタルデータ放送等の複数の放送カテゴリに亘って放送局のチャンネルを選局するための選局操作装置及び方法を開示している。
新しい放送やメディアの増加に対応するために、外部機器を接続するライン入力の数を増やす必要がある。例えば、従来のＴＶ受像機はライン入力が２つあるのに対して、現在販売されているＴＶ受像機には、ライン入力を３つや４つ取りつけることも可能になっており、将来さらに増える予想である。
【００１１】
前述したように、放送チャンネルにおける空きチャンネルや普段視聴しないチャンネルについて、チャンネル飛ばし設定をし、空きチャンネルによる映像音声ノイズの画像表示を避け、選局操作を便利にすることができる。
一方、ライン入力は空きチャンネルと異なり、選局の時にライン入力のチャンネルが一時的に選択されても、ＴＶ受像機の画面が無画状態になるだけ、砂嵐状のノイズや、音声ノイズが現れない。また、従来はライン入力の数は少ないので、選局の時に１回、２回ボタンを押せば済むので、チャンネル選局において、ライン入力についてのチャンネルの飛ばしは特に必要にならなかった。
【００１２】
しかし、ライン入力の数は多くなると、チャンネル選局操作は不便になる。
図１１は、４つのライン入力を含む従来の選局チャンネルシーケンスを示す。
図１１に示すように、チャンネルアップ・ダウンボタンで選局する時に、４つのライン入力は必ず選局チャンネル順列に入り、外部機器が接続されていなくても、普段視聴しないライン入力のチャンネルを飛ばすことができず、チャンネルアップ・ダウンボタンで４つのライン入力を一々選択するしかない。この間にＴＶ受像機の画面が長く無画状態になり、ライン入力の数が多くなると、違和感が生じ、チャンネル切換に不便性を感じる。
【００１３】
本発明は、上記の問題に鑑みてなされ、その第１の目的は、外部入力についてもチャンネル飛ばし設定を可能にするチャンネル選択装置及び方法を提供することにある。
本発明の第２の目的は、上記のチャンネル選択装置を持つ映像音声処理装置を提供することにある。
【００１４】
【課題を解決するための手段】
本発明のチャンネル選択装置は、テレビジョン放送信号を受信するチューナーが出力する少なくとも１つのチャンネルのテレビジョン放送信号と、少なくとも１つの外部入力端子に接続される少なくとも１つの外部機器が出力する映像音声信号とから、１つのチャンネルの信号を選択するチャンネル選択装置であって、前記チューナーが出力する前記少なくとも１つのチャンネルのテレビジョン放送信号及び前記少なくとも１つの外部入力端子に接続される前記少なくとも１つの外部機器が出力する映像音声信号のうちの信号を選択出力しないチャンネル飛ばし設定を行なうチャンネル飛ばし設定手段と、前記チャンネル飛ばし設定手段が行なったチャンネル飛ばし設定の内容を記憶する記憶手段と、前記記憶手段に記憶された前記チャンネル飛ばし設定の内容に基づいて、前記チャンネル飛ばし設定手段によって前記チャンネル飛ばし設定が行なわれたチャンネル信号以外の、前記チューナーが出力する少なくとも１つのチャンネルのテレビジョン放送信号及び前記少なくとも１つの外部入力端子に接続される前記少なくとも１つの外部機器が出力する映像音声信号の１つを選択するチャンネル選択手段とを有する。
【００１５】
前記チャンネル飛ばし設定手段及び前記チャンネル選択手段は、前記チャンネル飛ばし設定を行なう部分と、チャンネル選択を順番に行なう部分と、前記チャンネル飛ばし設定及び前記チャンネル選択を行なう制御信号を発信する発信部とを有するリモートコントローラを含む。
【００１６】
本発明のチャンネル選択方法は、テレビジョン放送信号を受信するチューナーが出力する少なくとも１つのチャンネルのテレビジョン放送信号と、少なくとも１つの外部入力端子に接続される少なくとも１つの外部機器が出力する映像音声信号とから、１つのチャンネルの信号を選択するチャンネル選択方法であって、前記チューナーが出力する前記少なくとも１つのチャンネルのテレビジョン放送信号と前記少なくとも１つの外部入力端子に接続される前記少なくとも１つの外部機器が出力する映像音声信号のうちの信号を選択出力しないチャンネル飛ばし設定を行なうチャンネル飛ばし設定工程と、前記チャンネル飛ばし設定工程において行なわれたチャンネル飛ばし設定の内容を記憶する記憶工程と、前記記憶工程において記憶された前記チャンネル飛ばし設定の内容に基づいて、前記チャンネル飛ばし設定工程において前記チャンネル飛ばし設定が行なわれたチャンネル信号以外の、前記チューナーが出力する少なくとも１つのチャンネルのテレビジョン放送信号または前記少なくとも１つの外部入力端子に接続される前記少なくとも１つの外部機器が出力する映像音声信号の１つを選択するチャンネル選択工程とを有する。
【００１７】
本発明の映像音声処理装置は、少なくとも１つのチャンネルのテレビジョン放送信号を出力するチューナーと、映像音声信号を出力する少なくとも１つの外部機器を接続する少なくとも１つの外部入力端子と、前記チューナーが出力する前記少なくとも１つのチャンネルのテレビジョン放送信号と前記少なくとも１つの外部入力端子に接続される前記少なくとも１つの外部機器が出力する映像音声信号のうちの信号を選択出力しないチャンネル飛ばし設定を行なうチャンネル飛ばし設定手段と、前記チャンネル飛ばし設定手段が行なったチャンネル飛ばし設定の内容をチャンネルごとに記憶する記憶手段と、前記記憶手段に記憶された前記チャンネル飛ばし設定の内容に基づいて、前記チャンネル飛ばし設定手段によって前記チャンネル飛ばし設定が行なわれたチャンネル信号以外の、前記チューナーが出力する少なくとも１つのチャンネルのテレビジョン放送信号及び前記少なくとも１つの外部入力端子に接続される前記少なくとも１つの外部機器が出力する映像音声信号の１つを選択するチャンネル選択手段とを有する。
【００１８】
また、前記チャンネル選択手段で選択されたチャンネルの信号が出力表示される表示手段を有し、前記チャンネル飛ばし設定手段は、前記チューナーが出力する前記少なくとも１つのチャンネル及び前記少なくとも１つの外部入力端子の情報を前記表示手段に表示し、前記表示手段の表示内容を参照して、前記チャンネル飛ばし設定を行なう。
また、前記チャンネル飛ばし設定が行なわれていないチャンネルの名称又は略称を設定し、前記記憶手段に記憶させるチャンネル名称設定手段をさらに有する。
【００１９】
本発明のチャンネル選択装置によれば、チューナーが出力するテレビジョン放送信号と外部入力端子に接続される外部機器が出力する映像音声信号とを含んだチャンネル飛ばし設定を行なうチャンネル飛ばし設定手段を設け、外部機器から入力される映像音声信号を視聴しない場合に、その外部機器の出力を選択せず、即ち飛ばすように設定する。
また、本発明のチャンネル選択装置におけるチャンネル選択手段は、チャンネル飛ばし状態に設定された放送チャンネルや外部入力を含めない選局シーケンスにおいて所望のチャンネルを選択できる。その結果、選局操作は便利になる。
【００２０】
【発明の実施の形態】
以下、本発明のチャンネル選択方法、チャンネル選択装置、及び映像音声処理装置の実施形態について、添付した図面を参照して説明する。次の実施形態では、本発明の映像音声処理装置の一例としてＴＶ受像機を用いて説明する。
【００２１】
第１の実施形態
図１は、本実施形態に係る映像音声処理装置の構成図である。
図１に示された映像音声処理装置は、ＴＶ受像機１と、ＴＶ受像機１に接続され、映像音声信号を供給する外部機器２〜５と、ＴＶ受像機１に対して、遠隔操作を行なうリモートコントローラ（リモコン）６とを有する。
例えば、ＴＶ受像機１には地上波チューナーとＢＳチューナーとが内蔵されている。地上波チューナーとＢＳチューナーとが地上波アンテナからの地上波放送信号と、ＢＳアンテナからのＢＳ放送信号を受信し、これらの放送信号をＴＶ受像機１に出力する。
【００２２】
ＴＶ受像機１は、リモコン受信部７、表示部８と、電源スイッチや、チャンネル切り換えや設定などの操作ボタン９などを備えている。
地上波チューナーとＢＳチューナーからの放送信号は表示部８に映像として表示される。ＴＶ受像機１本体の操作ボタン９は、例えば、チャンネルを切り換えるチャンネルアップボタン９ａ、チャンネルダウンボタン９ｂ、各種設定を行なうメニュボタン９ｃなどを含む。
リモコン受信部７は、リモコン６が発信する制御信号を受信する。
【００２３】
外部機器２〜５は、例えば、ＣＳ（通信衛星）放送受像機、具体的に、例えばスカイパーフェクト受像機（以下、スカパーと省略する場合もある）や、ＤＶＤ（Ｄｉｇｉｔａｌ  Ｖｅｒｓａｔｉｌｅ  Ｄｉｓｋ）プレイヤーや、ＶＴＲや、ディジタルカメラなどの機器であり、テレビジョン放送信号、若しくは、ＤＶＤなどの映像音声記録媒体から生成される映像音声信号をＴＶ受像機１に供給する。
リモコン６は、利用者の操作によりＴＶ受像機１のリモコン受信部７に向けて制御信号を発信し、ＴＶ受像機１で視聴するチャンネル信号及び外部機器２〜５からの外部入力信号を切り換え、または、各種設定を行ない、または、ＴＶ受像機１の電源をオン・オフする。
【００２４】
図１に示すリモコン６は、例えば、放送チャンネル若しくは外部入力信号を切り換えるチャンネルアップボタン６ａ、チャンネルダウンボタン６ｂ、各種設定を行なうメニュボタン６ｃ、ＴＶ受像機１の電源をオン・オフする電源ボタン６ｄ、発信部６ｅを備えている。また、図示されていないが、音量アップボタンや、音量ダウンボタンや、数字ボタンや、入力切換ボタンなども設けられている。
【００２５】
図２は、本実施形態に係る映像音声処理装置において選局操作を行なう制御回路の一例を示す。
例えば、ＴＶ受像機１において、チャンネル飛ばし設定や、選局などの操作の制御を行なう設定選局手段１１、ＴＶ受像機１の表示部８に出力表示する信号の切換を行なう入力切り換え回路１２、地上波チューナー１３、ＢＳチューナー１４、外部機器からの放送信号や映像音声信号をＴＶ受像機１に入力するライン入力端子１５〜１８が配置されている。
地上波チューナー１３とＢＳチューナー１４は、それぞれ地上波アンテナ１９とＢＳアンテナ２０に接続し、地上波アンテナ１９で受信した地上波放送信号と、ＢＳアンテナ２０で受信したＢＳ放送信号を処理する。
４つのライン入力端子１５〜１８に、外部機器２〜５が接続しており、ライン入力端子１５〜１８を介して、外部機器２〜５が出力する映像音声信号や放送信号を入力切り換え回路１２に入力する。
【００２６】
設定選局手段１１は、入力切換回路１２に入力する地上波チューナー１３、ＢＳチューナー１４、ライン入力端子１５〜１８などの入力ソースを記憶し、さらに、地上波チューナー１３、ＢＳチューナー１４、及びライン入力端子１５〜１８に制御信号を送り、例えばチャンネル飛ばし設定に基づき、地上波チューナー１３、ＢＳチューナー１４、及びライン入力端子１５〜１８の出力のオン・オフを制御する。
また、設定選局手段１１は、ＴＶ受像機１の本体の操作ボタン９、或は、リモコン６でのチャンネルアップボタン９ａ、６ａ、チャンネルダウンボタン９ｂ、６ｂ、または、不図示の入力切換ボタンを操作することによって発信されたチャンネル切換信号に基づいて、入力切換回路１２にチャンネル選択信号を送信し、所望のチャンネル信号を選択させる。
【００２７】
入力切換回路１２には、地上波チューナー１３、ＢＳチューナー１４、及びライン入力端子１５〜１８からの放送信号、映像音声信号は、設定選局手段１１の出力オン・オフ制御に応じて入力される。また、設定選局回路１１からの制御信号に従って、入力切換回路１２は、入力された信号から所望のチャンネルを選択し、選択されたチャンネルの映像音声信号を出力する。
【００２８】
図３は、設定選局手段１１の構成例を示す。
設定選局手段１１は、ＣＰＵ２１とメモリ２２を有する。メモリ２２は本発明の請求の範囲における「記憶手段」に相当する。
メモリ２２には、ＴＶ受像機１に接続された地上波チューナー１３、ＢＳチューナー１４、及びライン入力端子１５〜１８などの入力ソース、及び地上波チューナー１３、ＢＳチューナー１４などの入力ソースに含まれた各放送チャンネルを、事前に登録されている、即ち、地上波チューナー１３からの各放送チャンネル、ＢＳチューナー１４からの各放送チャンネル、ライン入力端子１５〜１８に接続されている外部機器２〜５からの放送信号の各チャンネル（例えば、スカイパーフェクト受像機の場合）、映像音声信号（ＶＴＲや、ＤＶＤプレイヤーの場合）がチャンネルごとにメモリ２２に記憶されている。メモリ２２に記憶された各チャンネルのデータを書き換えることで新たな設定や設定の変更を行なうことができる。
【００２９】
ＣＰＵ２１は、ＴＶ受像機１のリモコン受信部７が受信したリモコン６からの制御信号、或は、ＴＶ受像機１における操作ボタン９からの制御信号に応じて、地上波チューナー１３、ＢＳチューナー１４、外部機器２〜５を接続しているライン入力端子１５〜１８に、入力切換回路１２、及びメモリ２１を制御する。
具体的に、ＣＰＵ２１は、例えばメモリ２２におけるチャンネル飛ばし設定のデータに基づき、地上波チューナー１３、ＢＳチューナー１４、及びライン入力端子１５〜１８に制御信号を送り、それらの入力切換回路１２への出力をオン又はオフし、視聴しないチャンネルをスキップする。
また、ＣＰＵ２１は、操作ボタン９、或は、リモコン６からのチャンネル切換信号に基づいて、入力切換回路１２にチャンネル選択信号を送信し、所望のチャンネルを選択させる。
また、ＣＰＵ２１は、各チャンネルについてチャンネル飛ばし設定などを行なう時に、設定の内容をメモリ２２へ書き込む動作を制御する。
【００３０】
チャンネル飛ばし設定は、例えば、リモコン６、又は、操作ボタン９を用い、設定選局手段１１を動作させ、ＴＶ受像機１の表示部８上で行なう。
図４は、ＴＶ受像機１の表示部８で表示されたチャンネル飛ばし設定の設定画面の１画面分の内容を示している。
図４に示された設定画面には、「表示ＣＨ」、「受信ＣＨ」、「チャンネル飛ばし」、及び「チャンネル／機器」の欄が表示されている。
「表示ＣＨ」欄には、ＴＶ受像機１に映像音声信号を供給する放送チャンネルや入力ソースが表示されている。図４に、一例として、ＶＨＦ帯域の１ＣＨ〜１２ＣＨと、ＵＨＦ帯域の１３ＣＨ〜１７ＣＨ、及びライン入力１〜４が「表示ＣＨ」欄に表示されている。
「受信ＣＨ」欄に地上波チューナー１３やＢＳチューナー１４によって受信された放送チャンネルが表示されている。図４の例には、「表示ＣＨ」欄に表示されている１ＣＨ〜１７ＣＨが「受信ＣＨ」欄に表示されている。ライン入力１〜４が「受信ＣＨ」欄に表示されない。
【００３１】
「チャンネル飛ばし」欄において、「表示ＣＨ」欄に表示された１ＣＨ〜１７ＣＨの放送信号と、４つのライン入力１〜４について、チャンネル飛ばし設定内容が表示されている。
例えば、図４の例には、１ＣＨ〜１５ＣＨをチャンネル飛ばし状態に設定せず、１６ＣＨをチャンネル飛ばし状態に設定し、１７ＣＨをチャンネル飛ばし状態に設定せず、ライン入力１と３をチャンネル飛ばし状態に設定せず、ライン入力２と４をチャンネル飛ばし状態に設定する、というような設定がされている。
【００３２】
「チャンネル／機器」欄には、ライン入力１にスカイパーフェクト受像機が接続しており、ライン入力３にＤＶＤプレイヤーが接続しており、ライン入力２と４に外部機器は接続されていない、などの内容が表示されている。
従って、ライン入力１と３にスカイパーフェクト受像機とＤＶＤプレイヤーが接続されているので、「チャンネル飛ばし」欄にライン入力１と３について、飛ばさないように設定された、また、ライン入力２と４に何も機器が接続されていないので、ライン入力２と４は選局シーケンスに入らないように、飛ばされるように設定した。
【００３３】
次に、図５に示すフローチャートを参照し、チャンネル飛ばし設定の操作を説明する。
ステップＳ１：
ＴＶ受像機１の表示表示部８に、設定画面を表示する。
図４に示すチャンネル飛ばし設定の画面は、例えば、リモコン６のメニュボタン６ｃ、或は、操作ボタン９のメニュボタン９ｃを押下することで表示部８上に表示する。
具体的には、リモコン６のメニュボタン６ｃ、或は、操作ボタン９のメニュボタン９ｃの操作により発信した設定信号はＣＰＵ２１に転送される。リモコン６を操作した場合は、この設定信号はリモコン受信部７を介してＣＰＵ２１に転送される。ＣＰＵ２１はこの設定信号に応じて、メモリ２２に記憶されている各入力ソース及び各放送チャンネルのデータを読出し、表示部８上に表示する。
【００３４】
ステップＳ２：
設定画面上には、例えば、リモコン６若しくは操作ボタン９における矢印ボタン（不図示）を操作し、各チャンネルの各項目を選択する。
例えば、チャンネル飛ばし設定において、決定をするボタン（不図示）を操作し、チャンネル飛ばし設定を「する」か「しない」か選択し、決定する。
【００３５】
ステップＳ３：
１画面分の設定を終了した後、ステップＳ１に戻り、次の画面を表示し、以上と同じように、他のチャンネルについてもチャンネル飛ばし設定を行なう。
全部のチャンネルにわたって、必要なチャンネルについてチャンネル飛ばし設定を終了した場合に、ステップＳ４に進む。
【００３６】
ステップＳ４：
必要なチャンネルについてチャンネル飛ばし設定を終了した後、設定内容をメモリ２２に保存する。
ステップＳ５：
ＣＰＵ２１は、記憶された設定内容に応じて、地上波チューナー１３、ＢＳチューナー１４、ライン入力端子１５〜１８などの入力ソースに制御信号を送り、地上波チューナー１３、または、ＢＳチューナー１４のチャンネル飛ばし設定がされたチャンネルの放送信号を出力させない、または、ライン入力端子１５〜１８のうち、チャンネル飛ばし設定がされたライン入力の出力をオフする制御を行なう。
このように、ライン入力端子１５〜１８を含むチャンネル飛ばし設定を行なう。
【００３７】
図６は、以上のチャンネル飛ばし設定を行なった後の選局シーケンスを示す。
放送チャンネル及びライン入力端子１５〜１８を含んだチャンネル飛ばし設定を行なった後に、リモコン６のチャンネルアップボタン６ａ、チャンネルダウンボタン６ｂ、若しくは、ＴＶ受像機１本体のチャンネルアップボタン９ａ、チャンネルダウンボタン９ｂを押して順次選局を行なう場合に、図６に示すような入力チャンネルのシーケンスが得られる。
【００３８】
例えば、図４の設定画面の内容によれば、１ＣＨ〜１５ＣＨ、１７ＣＨはチャンネル飛ばし状態に設定されておらず、１６ＣＨはチャンネル飛ばし設定がされている。現在選択されている入力チャンネルを地上波アナログ放送のＶＨＦ−Ｌｏｗ領域の１ＣＨとすれば、リモコン６のチャンネルアップボタン６ａを順次押すと、ＶＨＦ−Ｌｏｗ帯域の２ＣＨ、３ＣＨ、ＶＨＦ−Ｈｉｇｈ帯域の４ＣＨ、５ＣＨ、６ＣＨ、…、１２ＣＨを順次選択される。さらにチャンネルアップボタン６ａを押すと、ＵＨＦ帯域の１３ＣＨ、１４ＣＨ、１５ＣＨに移動する。
さらにチャンネルアップボタン６ａを押すと、１６ＣＨはチャンネル飛ばし状態に設定されているので、１６ＣＨでなく、１７ＣＨが選択される。
このように、チャンネルアップボタン６ａを順次押すと、チャンネル飛ばし状態に設定されたチャンネルが飛ばされ、チャンネル飛ばし状態に設定されていないチャンネルが順次選択され、６２ＣＨまで選択チャンネルが移動する。
【００３９】
本実施形態において、ＴＶ受像機１にＢＳチューナー１４が内蔵されているので、ＵＨＦ帯域の選局を終了した後に、さらにチャンネルアップボタン６ａを押すと、ＢＳ帯域の１ＣＨから１５ＣＨの奇数ＣＨのうち、チャンネル飛ばし設定がされていないチャンネルが順次選局される。ＢＳ帯域のチャンネルを選局した後に、チャンネルアップボタン６ａをさらに押すと、入力ソースは地上波チューナー１３とＢＳチューナー１４から、ライン入力に切り換わる。
【００４０】
図４の設定画面に示すように、ライン入力１にスカイパーフェクト受像機、ライン入力３にＤＶＤプレイヤーが接続されており、チャンネル飛ばし設定はされていない。これに対して、ライン入力２と４には外部機器が接続されておらず、チャンネル飛ばし状態に設定されている。
従って、ＢＳ帯域のチャンネルを選局した後に、チャンネルアップボタン６ａを押すと、ライン入力１に接続されているスカイパーフェクト受像機が選択され、チャンネルアップボタン６ａをさらに押すと、ライン入力３に接続されたＤＶＤプレイヤーが選択される。即ち、ライン入力２と４が飛ばされ、選局シーケンスに現れない。チャンネルアップボタン６ａをさらに押すと、そして最初のＶＨＦ帯域１ＣＨに戻る。
【００４１】
ＴＶ受像機１本体にあるチャンネルアップボタン９ａを操作する場合には、以上と同じ順に選局される。また、リモコン６のチャンネルダウンボタン６ｂや、ＴＶ受像機１本体にあるチャンネルダウンボタン９ｂを操作する場合、チャンネルの変化は以上と逆となる。
【００４２】
図７は、本実施形態のＴＶ受像機１において、ライン入力を含んだチャンネル飛ばし設定を行なった後の選局操作を説明するフローチャートである。
図７は、利用者がリモコン６のチャンネルアップボタン６ａ、または、チャンネルダウンボタン６ｂ、若しくは、ＴＶ受像機１本体のチャンネルアップボタン９ａ、または、チャンネルダウンボタン９ｂを押して、連続的にチャンネルを切り換える操作を行なう時に、ライン入力を含むの１つのチャンネルを選択する処理を示している。
本実施形態では、所望のチャンネルは、地上波チューナー１３、または、ＢＳチューナー１４の放送チャンネルであるか、ライン入力から入力された映像音声信号であるかに拘わらず、通常のチューナー選局動作と同じように処理される。
【００４３】
以下、一例として、リモコン６のチャンネルアップボタン６ａ、または、チャンネルダウンボタン６ｂを操作し、順番にチャンネル切り換え、選局を行なうとする。
ステップＳ１１：
利用者がリモコン６のチャンネルアップボタン６ａ、または、チャンネルダウンボタン６ｂを操作し、チャンネル切換の操作を行なう。
ステップＳ１２：
選局操作を開始すると、設定選局手段１１におけるＣＰＵ２１は、メモリ２２に記憶されたチャンネルのデータにアクセスし、各チャンネルの設定データに基づいて、チャンネル選択を行なう。
【００４４】
ステップＳ１３：
設定選局手段１１は、チャンネルアップボタン６ａ、または、チャンネルダウンボタン６ｂを操作する前のチャンネルの直後のチャンネルのデータにアクセスし、このチャンネルのデータから、このチャンネルはチャンネル飛ばしの設定がされているか否か判定する。
現在アクセスされているチャンネルは、チャンネル飛ばし状態に設定されている場合は、ステップＳ１４の処理に進み、チャンネル飛ばし状態に設定されていない場合は、ステップＳ１５の処理に進む。
【００４５】
ステップＳ１４：
現在アクセスされているチャンネルはチャンネル飛ばし状態に設定されている場合、ＣＰＵ２１はメモリ２２に記憶されている次のチャンネルのデータにアクセスし、そして、ステップＳ１３の処理に戻り、ステップＳ１３、ステップＳ１４の処理を繰り返す。
【００４６】
ステップＳ１５：
現在アクセスされているチャンネルはチャンネル飛ばしの設定がされていない場合、利用者が該チャンネルを選択するか否か判定する。
現在アクセスされているチャンネルを選択する場合は、ステップＳ１６の処理に進む。
現在アクセスされているチャンネルを選択しない場合は、ステップＳ１１の処理に戻り、即ち、利用者は、リモコン６のチャンネルアップボタン６ａ、または、チャンネルダウンボタン６ｂを操作し、選局を続ける。そして、設定選局手段１１はステップＳ１２、１３、１４の処理を繰り返し、利用者はステップＳ１５の判定を行なう。このようにステップＳ１１〜ステップＳ１５の処理を繰り返す。
【００４７】
ステップＳ１６：
利用者は、現在のチャンネルを選択し、視聴する。例えば、現在のチャンネルはライン入力の場合は、利用者はそのライン入力を選択し、そのライン入力に接続された外部機器からの映像音声信号を視聴する。
【００４８】
本実施形態によれば、外部入力についても、チャンネル飛ばし設定ができるようになる。これによって、ライン入力の数は多くなっても、選局操作は手間が掛からず、操作は便利になり、円滑に所望のチャンネルを選択できる。
【００４９】
第２の実施形態
本実施形態において、第１の実施形態の１変形例を説明する。
図４に示された設定画面には、さらに情報を追加することが可能である。
例えば、図８に示すように、「チャンネル／機器」欄には、「表示ＣＨ」欄に表示されたライン入力に接続された外部機器の名称の他に、「表示ＣＨ」欄に表示された放送チャンネルの簡単な説明を表示する。図９の例には、１ＣＨに「ＫＮＮ」、２ＣＨに「ＭＢＳ」、３ＣＨに「ＭＮＫ」、…、１５ＣＨ、１６ＣＨ、１７ＣＨにもそのチャンネルの名称が「チャンネル／機器」欄に表示されている。
このように、外部入力に限らず、放送チャンネルの数が増える場合にも、図８のような表示画面でチャンネルの名称からチャンネルを容易に選択できる。
【００５０】
以上、本発明を好ましい実施の形態に基づき説明したが、本発明は以上に説明した実施の形態に限られるものではなく、本発明の要旨を逸脱しない範囲で、種々の改変が可能である。
たとえば、「チャンネルアップ」、「チャンネルダウン」のボタンでの制御で説明したが、「入力切換」ボタンでも入力ソースの切り換えが可能で、本発明による外部入力のチャンネル飛ばし設定により、これらのトグル操作のより簡便性を提供することができる。
また、外部機器はＣＳ（通信衛星）放送受像機（例えば、スカイパーフェクト受像機）の場合は、以上の実施形態で説明したように、ＣＳ放送受像機全体を１つの入力ソースとしてチャンネル飛ばし設定や切換ができるが、ＣＳ放送の各チャンネルについても、チャンネル飛ばし設定もできることはいうまでもない。
【００５１】
【発明の効果】
本発明によれば、外部入力についても、チャンネル飛ばし設定ができるようになる。これによって、ライン入力の数は多くなっても、選局操作は手間が掛からず、迅速かつ円滑に所望のチャンネルを選択できる。
【図面の簡単な説明】
【図１】本発明の第１の実施形態における映像音声処理装置の構成を例示する図である。
【図２】本発明の第１の実施形態におけるチャンネル選択装置の構成を例示する図である。
【図３】本発明の第１の実施形態におけるチャンネル飛ばし設定手段の構成を例示する図である。
【図４】本発明の第１の実施形態においてチャンネル飛ばし設定の画面表示を例示する図である。
【図５】本発明の第１の実施形態においてチャンネル飛ばし設定を行なった後の選局シーケンスを例示する図である。
【図６】本発明の第１の実施形態においてチャンネル飛ばし設定を示すフローチャートである。
【図７】本発明の第１の実施形態においてチャンネル飛ばし設定を行なった後の選局操作を示すフローチャートである。
【図８】本発明の第２の実施形態においてチャンネル設定画面にチャンネルの情報を表示する例を示す図である。
【図９】（ａ）と（ｂ）は、従来の選局シーケンスの例を示す図である。
【図１０】（ａ）は、従来のチャンネル飛ばし設定の画面表示を示す図であり、（ｂ）は、チャンネル飛ばし設定を行なった後の選局シーケンスの例を示す図である。
【図１１】従来の選局シーケンスの他の例を示す図である。
【符号の説明】
１…ＴＶ受像機、２、３、４、５…外部機器、６…リモコン、６ａ…チャンネルアップボタン、６ｂ…チャンネルダウンボタン、６ｃ…メニュボタン、６ｄ…電源ボタン、６ｅ…リモコン送信部、７…リモコン受信部、８…表示部、９…操作ボタン、９ａ…チャンネルアップボタン、９ｂ…チャンネルダウンボタン、９ｃ…メニュボタン、１１…設定選局部、１２…入力切換回路、１３…地上波チューナー、１４…ＢＳチューナー、１５、１６、１７、１８…ライン入力端子、１９…地上波アンテナ、２０…ＢＳアンテナ、２１…ＣＰＵ、２２…メモリ、１００…表示部。
【図１】
2004187121.tif 000003
【図２】
2004187121.tif 000004
【図３】
2004187121.tif 000005
【図４】
2004187121.tif 000006
【図５】
2004187121.tif 000007
【図６】
2004187121.tif 000008
【図７】
2004187121.tif 000009
【図８】
2004187121.tif 000010
【図９】
2004187121.tif 000011
【図１０】
2004187121.tif 000012
【図１１】
2004187121.tif 000013